(57)【要約】  本発明は、複数の端末が仮想加入者識別モジュールSIMカードを共有するための方法、端末、サーバおよびシステムを開示するとともに、通信の分野に関する。第１の端末および第２の端末は、同じ仮想SIMカードのデータを格納し、方法は、第１の端末によって送信される、仮想SIMカードを有効にするための要求を受信するステップであって、仮想SIMカードを有効にするための要求は仮想SIMカード識別子を含む、ステップと、仮想SIMカード識別子に従って、第２の端末が仮想SIMカードを有効にしているかどうかを判定するステップと、第２の端末が仮想SIMカードを有効にしていない場合、仮想SIMカードを第１の端末に対して有効にするステップとを含む。方法、端末、サーバおよびシステムは、複数の端末が仮想SIMカードを共有するための動作ステップを簡潔にする。
2016522653.tif 000002
【特許請求の範囲】
【請求項１】
仮想加入者識別モジュールSIMカードを共有する複数の端末のための方法であって、第１の端末および第２の端末は、同じ仮想SIMカードのデータを格納し、前記方法は、
前記第１の端末によって送信される、前記仮想SIMカードを有効にするための要求を受信するステップであって、前記仮想SIMカードを有効にするための前記要求は仮想SIMカード識別子を有する、ステップと、
前記仮想SIMカード識別子に従って、前記第２の端末が前記仮想SIMカードを有効にしているかどうかを判定するステップと、
前記第２の端末が前記仮想SIMカードを有効にしていない場合、前記仮想SIMカードを前記第１の端末に対して有効にするステップと
を有する方法。
【請求項２】
前記仮想SIMカード識別子に従って、前記第２の端末が前記仮想SIMカードを有効にしているかどうかを判定する前記ステップは、
前記第２の端末が前記仮想SIMカードを有効にしているかどうかを判定するために、前記仮想SIMカード識別子に従って有効化関係テーブルを照会するステップであって、前記有効化関係テーブルは、前記仮想SIMカード識別子と、端末識別子と、有効化表示とを有する、ステップである、請求項１に記載の方法。
【請求項３】
前記仮想SIMカードを有効にするための前記要求は加入者識別情報をさらに有し、
前記仮想SIMカード識別子に従って、前記第２の端末が前記仮想SIMカードを有効にしているかどうかを判定する前記ステップの前に、前記方法は、
前記加入者識別情報と前記仮想SIMカード識別子との間に加入関係が存在するかどうかを判定し、前記加入者識別情報と前記仮想SIMカード識別子との間に前記加入関係が存在する場合、前記仮想SIMカード識別子に従って、前記第２の端末が前記仮想SIMカードを有効にしているかどうかを判定する前記ステップを実行するステップ
をさらに有する、請求項１に記載の方法。
【請求項４】
前記仮想SIMカードを前記第１の端末に対して有効にする前記ステップの後、前記方法は、
前記第１の端末によって送信される、前記仮想SIMカードを無効にするための要求を受信するステップであって、前記仮想SIMカードを無効にするための前記要求は、加入者識別情報と、前記第１の端末の端末識別子と、前記仮想SIMカード識別子とを有する、ステップと、
前記加入者識別情報と前記仮想SIMカード識別子との間に加入関係が存在するかどうかを判定し、前記加入者識別情報と前記仮想SIMカード識別子との間に前記加入関係が存在する場合、前記第１の端末の前記端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするステップと
をさらに有する、請求項１に記載の方法。
【請求項５】
前記第１の端末が前記仮想SIMカードを格納する前に、前記方法は、
前記第１の端末によって送信される、前記仮想SIMカードに加入するための要求を受信するステップであって、前記仮想SIMカードに加入するための前記要求は、加入者識別情報および前記仮想SIMカード識別子を有する、ステップと、
前記加入者識別情報および前記仮想SIMカード識別子に従って注文を生成し、前記第１の端末に前記注文の注文番号を送信するステップであって、前記注文は前記加入者識別情報および前記仮想SIMカード識別子を有する、ステップと、
前記第１の端末によって送信される支払い要求に従って、サードパーティ支払いサーバによってフィードバックされる支払い結果通知を受信するステップであって、前記支払い要求および前記支払い結果通知の両方が前記注文番号を有する、ステップと、
前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信するステップと
をさらに有する、請求項１に記載の方法。
【請求項６】
前記仮想SIMカード識別子に従って、前記第２の端末が前記仮想SIMカードを有効にしているかどうかを判定する前記ステップの後、前記方法は、
前記第２の端末が前記仮想SIMカードを有効にしている場合、前記第１の端末が前記仮想SIMカードを有効にすることを防ぐステップ
をさらに有する、請求項１乃至５のいずれか１項に記載の方法。
【請求項７】
前記仮想SIMカード識別子に従って、前記第２の端末が前記仮想SIMカードを有効にしているかどうかを判定する前記ステップの後、前記方法は、
前記第２の端末が前記仮想SIMカードを有効にしている場合、前記仮想SIMカードを前記第２の端末に対して無効にした後、前記仮想SIMカードを前記第１の端末に対して有効にするステップ
をさらに有する、請求項１乃至５のいずれか１項に記載の方法。
【請求項８】
仮想SIMカードを共有する複数の端末のための方法であって、第１の端末および第２の端末は、同じ仮想SIMカードのデータを格納し、前記方法は、
前記第１の端末によって、前記仮想SIMカードを有効にするための要求を仮想カードサーバに送信するステップであって、前記仮想SIMカードを有効にするための前記要求は、仮想SIMカード識別子を有する、ステップと、
前記仮想SIMカード識別子に従って、前記第２の端末が前記仮想SIMカードを有効にしているかどうかを判定した後、前記第１の端末によって、前記仮想カードサーバによって送信される有効化応答メッセージを受信するステップであって、前記第２の端末が前記仮想SIMカードを有効にしていない場合、前記有効化応答メッセージは有効化成功メッセージである、ステップと、
前記有効化成功メッセージを受信した後、前記第１の端末によって、前記仮想SIMカードを有効にするステップと
を有する方法。
【請求項９】
前記第１の端末によって、前記仮想SIMカードを有効にする前記ステップの後、前記方法は、
前記第１の端末によって、前記仮想SIMカードを無効にするための要求を前記仮想カードサーバに送信するステップであって、前記仮想SIMカードを無効にするための前記要求は、加入者識別情報と、前記第１の端末の端末識別子と、前記仮想SIMカード識別子とを有する、ステップと、
前記加入者識別情報と前記仮想SIMカード識別子との間に加入関係が存在するかどうかを判定し、前記第１の端末の前記端末識別子および前記仮想SIMカード識別子に従って、前記第１の端末が前記仮想SIMカードを有効にしているかどうかを判定した後、前記第１の端末によって、前記仮想カードサーバによって送信される無効化応答メッセージを受信するステップであって、前記加入者識別情報と前記仮想SIMカード識別子との間に前記加入関係が存在する場合であり前記第１の端末が前記仮想SIMカードを有効にしているとき、前記無効化応答メッセージは無効化成功メッセージである、ステップと、
前記無効化成功メッセージを受信した後、前記第１の端末によって、前記仮想SIMカードを無効にするステップと
をさらに有する、請求項８に記載の方法。
【請求項１０】
前記第１の端末が前記仮想SIMカードを格納する前に、前記方法は、
前記第１の端末によって、前記仮想SIMカードに加入するための要求を前記仮想カードサーバに送信するステップであって、前記仮想SIMカードに加入するための前記要求は加入者識別情報および前記仮想SIMカード識別子を有する、ステップと、
前記第１の端末によって、前記加入者識別情報および前記仮想SIMカード識別子に従って、前記仮想カードサーバによって送信される注文番号を受信するステップと、
前記第１の端末によって、支払い要求をサードパーティ支払いサーバに送信するステップであって、前記支払い要求は前記注文番号を有する、ステップと、
前記サードパーティ支払いサーバによって送信される支払い結果通知に従って、前記第１の端末が成功裏に支払ったかどうかを判定した後、前記第１の端末によって、前記仮想カードサーバによってフィードバックされる加入応答メッセージを受信するステップであって、前記支払い結果通知は前記注文番号を有し、前記支払い結果通知が前記第１の端末が成功裏に支払ったことを示す場合、前記加入応答メッセージは加入成功メッセージである、ステップと
をさらに有する、請求項８に記載の方法。
【請求項１１】
複数の端末が仮想SIMカードを共有することを実施するための仮想カードサーバであって、第１の端末および第２の端末は、同じ仮想SIMカードのデータを格納し、前記仮想カードサーバは通信ユニットおよび判定ユニットを有し、
前記通信ユニットは、第１の端末によって送信される、前記仮想SIMカードを有効にするための要求を受信するように構成され、前記仮想SIMカードを有効にするための前記要求は仮想SIMカード識別子を有し、
前記判定ユニットは、前記仮想SIMカード識別子に従って、前記第２の端末が前記仮想SIMカードを有効にしているかどうかを判定し、前記第２の端末が前記仮想SIMカードを有効にしていない場合、前記仮想SIMカードを前記第１の端末に対して有効にするように構成される、仮想カードサーバ。
【請求項１２】
前記判定ユニットは、前記第２の端末が前記仮想SIMカードを有効にしているかどうかを判定するために、前記仮想SIMカード識別子に従って有効化関係テーブルを照会するように構成され、前記有効化関係テーブルは、前記仮想SIMカード識別子と、端末識別子と、有効化表示とを有する、請求項１１に記載の仮想カードサーバ。
【請求項１３】
前記仮想SIMカードを有効にするための前記要求は加入者識別情報をさらに有し、
対応して、前記判定ユニットは、前記加入者識別情報と前記仮想SIMカード識別子との間に加入関係が存在するかどうかを判定し、前記加入者識別情報と前記仮想SIMカード識別子との間に前記加入関係が存在する場合、前記仮想SIMカード識別子に従って、前記第２の端末が前記仮想SIMカードを有効にしているかどうかを判定するステップを実行するようにさらに構成される、請求項１１に記載の仮想カードサーバ。
【請求項１４】
前記通信ユニットは、第１の端末によって送信される、前記仮想SIMカードを無効にするための要求を受信するようにさらに構成され、前記仮想SIMカードを無効にするための前記要求は、加入者識別情報と、前記第１の端末の端末識別子と、前記仮想SIMカード識別子とを有し、
前記判定ユニットは、前記加入者識別情報と前記仮想SIMカード識別子との間に加入関係が存在するかどうかを判定し、前記加入者識別情報と前記仮想SIMカード識別子との間に前記加入関係が存在する場合、前記第１の端末の前記端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするようにさらに構成される
請求項１１に記載の仮想カードサーバ。
【請求項１５】
前記仮想カードサーバは注文ユニットをさらに有し、
前記通信ユニットは、第１の端末によって送信される、前記仮想SIMカードに加入するための要求を受信するようにさらに構成され、前記仮想SIMカードに加入するための前記要求は、加入者識別情報および前記仮想SIMカード識別子を有し、
前記注文ユニットは、前記加入者識別情報および前記仮想SIMカード識別子に従って注文を生成し、前記第１の端末に前記注文の注文番号を送信するように構成され、前記注文は前記加入者識別情報および前記仮想SIMカード識別子を有し、
前記通信ユニットは、前記第１の端末によって送信される支払い要求に従って、サードパーティ支払いサーバによってフィードバックされる支払い結果通知を受信するようにさらに構成され、前記支払い要求および前記支払い結果通知の両方が前記注文番号を有し、
前記判定ユニットは、前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信するようにさらに構成される
請求項１１に記載の仮想カードサーバ。
【請求項１６】
前記判定ユニットは、前記仮想SIMカード識別子に従って、前記第２の端末が前記仮想SIMカードを有効にしているかどうかを判定するとき、且つ前記第２の端末が前記仮想SIMカードを有効にしている場合、前記第１の端末が前記仮想SIMカードを有効にすることを防ぐようにさらに構成される、
請求項１１乃至１５のいずれか１項に記載の仮想カードサーバ。
【請求項１７】
前記仮想SIMカード識別子に従って、前記第２の端末が前記仮想SIMカードを有効にしているかどうかを判定するとき、且つ前記第２の端末が前記仮想SIMカードを有効にしている場合、前記判定ユニットは、前記仮想SIMカードを前記第２の端末に対して無効にした後、前記仮想SIMカードを前記第１の端末に対して有効にする
請求項１１乃至１５のいずれか１項に記載の仮想カードサーバ。
【請求項１８】
複数の端末が仮想SIMカードを共有することを実施するための端末であって、同じ仮想SIMカードのデータを格納する第１の端末および第２の端末を有し、前記第１の端末は通信ユニットおよび管理ユニットを有し、
前記通信ユニットは、前記仮想SIMカードを有効にするための要求を仮想カードサーバに送信するように構成され、前記仮想SIMカードを有効にするための前記要求は、仮想SIMカード識別子を有し、且つ
前記通信ユニットは、前記仮想SIMカード識別子に従って、前記第２の端末が前記仮想SIMカードを有効にしているかどうかを判定した後、前記仮想カードサーバによって送信される有効化応答メッセージを受信するように構成され、前記第２の端末が前記仮想SIMカードを有効にしていない場合、前記有効化応答メッセージは有効化成功メッセージであり、
前記管理ユニットは、前記通信ユニットが前記有効化成功メッセージを受信した後、前記仮想SIMカードを有効にするように構成される
端末。
【請求項１９】
前記通信ユニットは、前記仮想SIMカードを無効にするための要求を前記仮想カードサーバに送信するようにさらに構成され、前記仮想SIMカードを無効にするための前記要求は、加入者識別情報と、前記第１の端末の端末識別子と、前記仮想SIMカード識別子とを有し、且つ
前記通信ユニットは、前記加入者識別情報と前記仮想SIMカード識別子との間に加入関係が存在するかどうかを判定し、前記第１の端末の前記端末識別子および前記仮想SIMカード識別子に従って、前記第１の端末が前記仮想SIMカードを有効にしているかどうかを判定した後、前記仮想カードサーバによって送信される無効化応答メッセージを受信するようにさらに構成され、前記加入者識別情報と前記仮想SIMカード識別子との間に前記加入関係が存在する場合であり前記第１の端末が前記仮想SIMカードを有効にしているとき、前記無効化応答メッセージは無効化成功メッセージであり、
前記管理ユニットは、前記通信ユニットが前記無効化成功メッセージを受信した後、前記仮想SIMカードを無効にするようにさらに構成される
請求項１８に記載の端末。
【請求項２０】
前記通信ユニットは、前記仮想SIMカードに加入するための要求を前記仮想カードサーバに送信するようにさらに構成され、前記仮想SIMカードに加入するための前記要求は加入者識別情報および前記仮想SIMカード識別子を有し、且つ
前記通信ユニットは、前記加入者識別情報および前記仮想SIMカード識別子に従って、前記仮想カードサーバによって送信される注文番号を受信し、前記注文番号を有する支払い要求をサードパーティ支払いサーバに送信し、前記サードパーティ支払いサーバによって送信される支払い結果通知に従って、前記第１の端末が成功裏に支払ったかどうかを判定した後、前記仮想カードサーバによってフィードバックされる加入応答メッセージを受信するようにさらに構成され、前記支払い結果通知は前記注文番号を有し、前記支払い結果通知が前記第１の端末が成功裏に支払ったことを示す場合、前記加入応答メッセージは加入成功メッセージである
請求項１８に記載の端末。
【請求項２１】
複数の端末が仮想SIMカードを共有するためのシステムであって、前記システムは、請求項１１乃至１７のいずれか１項に記載の前記仮想カードサーバおよび請求項１８乃至２０のいずれか１項に記載の前記端末を有する、システム。
【請求項２２】
プロセッサ１２０１と、メモリ１２０２と、通信インタフェース１２０３とを有する仮想カードサーバであって、
前記通信インタフェース１２０３は、第１の端末によって送信される、仮想SIMカードを有効にするための要求と、前記仮想SIMカードを無効にするための要求と、前記仮想SIMカードに加入するための要求とを受信するように構成され、
前記メモリ１２０２はプログラム命令を格納するように構成され、
前記プロセッサ１２０１は、前記第１の端末によって送信される、前記仮想SIMカードを有効にするための前記要求が受信された後、仮想SIMカード識別子に従って、第２の端末が前記仮想SIMカードを有効にしているかどうかを判定し、前記第２の端末が前記仮想SIMカードを有効にしていない場合、前記仮想SIMカードを前記第１の端末に対して有効にするための、前記メモリ１２０２内に格納される前記プログラム命令を呼び出すように構成される、
仮想カードサーバ。
【請求項２３】
前記プロセッサ１２０１は、前記端末によって送信される、前記仮想SIMカードを無効にするための前記要求が受信された後、加入者識別情報と前記仮想SIMカード識別子との間に加入関係が存在するかどうかを判定し、加入者識別情報と前記仮想SIMカード識別子との間に前記加入関係が存在する場合、前記第１の端末の端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするための、前記メモリ１２０２内に格納される前記プログラム命令を呼び出すようにさらに構成される、請求項２２に記載の仮想カードサーバ。
【請求項２４】
前記プロセッサ１２０１は、前記端末によって送信される、前記仮想SIMカードに加入するための前記要求が受信された後、
前記加入者識別情報および前記仮想SIMカード識別子に従って注文を生成し、前記第１の端末に前記注文の注文番号を送信する動作であって、前記注文は前記加入者識別情報および前記仮想SIMカード識別子を有する、動作と、
前記第１の端末によって送信される支払い要求に従って、サードパーティ支払いサーバによってフィードバックされる支払い結果通知を受信する動作であって、前記支払い要求および前記支払い結果通知の両方が前記注文番号を有する、動作と、
前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信する動作と
を行うための、前記メモリ１２０２内に格納される前記プログラム命令を呼び出すようにさらに構成される、請求項２２に記載の仮想カードサーバ。
【発明の詳細な説明】
【技術分野】
【０００１】
本願は、2013年7月31日に中国特許庁に出願された、“METHOD, TERMINAL, SERVER, AND SYSTEM FOR MULTIPLE TERMINALS TO SHARE VIRTUAL SIM CARD”と題する、中国特許出願番号第201310329442.6への優先権を主張し、その全体が参照によって本明細書に組み込まれる。
【０００２】
本発明はコンピュータおよび通信技術の分野に関し、詳細には、複数の端末が仮想加入者識別モジュールSIM（Subscriber Identity Module）カードを共有するための方法、端末、サーバおよびシステムに関する。
【背景技術】
【０００３】
現在、通信技術とモバイル端末の急速な発展によって、共通の加入者は、複数のモバイル電話または複数のタブレット・コンピュータのような、複数のモバイル端末を有することができる。従って、加入者は複数の端末間で１つのSIMカードを共有することを希望する。
【０００４】
物理的なSIMカードを使用する加入者が複数のモバイル端末間でそのSIMカードを共有したい場合、加入者は物理的なSIMカードを一方の端末から手動で取り出して、物理的なSIMカードを他方のモバイル端末にインストールする必要がある。物理的なSIMカードを手動で取り出してインストールすることは面倒である。加入者が物理的なSIMカードを複数のモバイル端末間で頻繁に切り替える必要がある場合、非常に不便である。
【発明の概要】
【課題を解決するための手段】
【０００５】
本発明の実施形態は、複数の端末が仮想SIMカードを共有するための動作ステップを簡潔にするために、複数の端末が仮想SIMカードを共有するための方法、端末、サーバおよびシステムを提供する。
【０００６】
前述の技術的な課題を解決するために、本発明の実施形態は以下の技術的な解決手段を開示する。
【０００７】
第１の態様に基づくと、複数の端末が仮想加入者識別モジュールSIMカードを共有するための方法が提供され、第１の端末および第２の端末は、同じ仮想SIMカードのデータを格納し、方法は、
第１の端末によって送信される、仮想SIMカードを有効にするための要求を受信するステップであって、仮想SIMカードを有効にするための要求は仮想SIMカード識別子を含む、ステップと、
仮想SIMカード識別子に従って、第２の端末が仮想SIMカードを有効にしているかどうかを判定するステップと、
第２の端末が仮想SIMカードを有効にしていない場合、仮想SIMカードを第１の端末に対して有効にするステップと
を含む。
【０００８】
第１の態様の第１の可能な実施方法では、仮想SIMカード識別子に従って、第２の端末が仮想SIMカードを有効にしているかどうかを判定するステップは、
第２の端末が仮想SIMカードを有効にしているかどうかを判定するために、仮想SIMカード識別子に従って有効化関係テーブルを照会するステップであって、有効化関係テーブルは、仮想SIMカード識別子と、端末識別子と、有効化表示とを含む、ステップである。
【０００９】
第１の態様の第２の可能な実施方法では、仮想SIMカードを有効にするための要求は加入者識別情報をさらに含み、
仮想SIMカード識別子に従って、第２の端末が仮想SIMカードを有効にしているかどうかを判定するステップの前に、方法は、
加入者識別情報と仮想SIMカード識別子との間に加入関係が存在するかどうかを判定し、加入者識別情報と仮想SIMカード識別子との間に加入関係が存在する場合、仮想SIMカード識別子に従って、第２の端末が仮想SIMカードを有効にしているかどうかを判定するステップを実行するステップ
をさらに含む。
【００１０】
第１の態様の第３の可能な実施方法では、仮想SIMカードを第１の端末に対して有効にするステップの後、方法は、
第１の端末によって送信される、仮想SIMカードを無効にするための要求を受信するステップであって、仮想SIMカードを無効にするための要求は、加入者識別情報と、第１の端末の端末識別子と、仮想SIMカード識別子とを含む、ステップと、
加入者識別情報と仮想SIMカード識別子との間に加入関係が存在するかどうかを判定し、加入者識別情報と仮想SIMカード識別子との間に加入関係が存在する場合、第１の端末の端末識別子および仮想SIMカード識別子に従って、第１の端末が仮想SIMカードを有効にしているかどうかを判定し、第１の端末が仮想SIMカードを有効にしている場合、仮想SIMカードを第１の端末に対して無効にするステップと
をさらに含む。
【００１１】
第１の態様の第４の可能な実施方法では、第１の端末が仮想SIMカードを格納する前に、方法は、
第１の端末によって送信される、仮想SIMカードに加入するための要求を受信するステップであって、仮想SIMカードに加入するための要求は、加入者識別情報および仮想SIMカード識別子を含む、ステップと、
加入者識別情報および仮想SIMカード識別子に従って注文を生成し、第１の端末に注文の注文番号を送信するステップであって、注文は加入者識別情報および仮想SIMカード識別子を含む、ステップと、
第１の端末によって送信される支払い要求に従って、サードパーティ支払いサーバによってフィードバックされる支払い結果通知を受信するステップであって、支払い要求および支払い結果通知の両方が注文番号を含む、ステップと、
支払い結果通知に従って、第１の端末が成功裏に支払ったかどうかを判定し、第１の端末が成功裏に支払った場合、支払い結果通知における注文番号に従って、対応する注文における加入者識別情報および仮想SIMカード識別子を取得し、加入者識別情報と仮想SIMカード識別子との間の加入関係を確立し、加入成功メッセージを第１の端末に送信するステップと
をさらに含む。
【００１２】
第１の態様または第１の態様の第１の可能な実施方法から第４の可能な実施方法のうちのいずれか１つを参照すると、第１の態様の第５の可能な実施方法では、仮想SIMカード識別子に従って、第２の端末が仮想SIMカードを有効にしているかどうかを判定するステップの後、方法は、
第２の端末が仮想SIMカードを有効にしている場合、第１の端末が仮想SIMカードを有効にすることを防ぐステップ
をさらに含む。
【００１３】
第１の態様または第１の態様の第１の可能な実施方法から第４の可能な実施方法のうちのいずれか１つを参照すると、第１の態様の第６の可能な実施方法では、仮想SIMカード識別子に従って、第２の端末が仮想SIMカードを有効にしているかどうかを判定するステップの後、方法は、
第２の端末が仮想SIMカードを有効にしている場合、仮想SIMカードを第２の端末に対して無効にした後、仮想SIMカードを第１の端末に対して有効にするステップ
をさらに含む。
【００１４】
第２の態様に基づくと、複数の端末が仮想SIMカードを共有するための方法が提供され、第１の端末および第２の端末は、同じ仮想SIMカードのデータを格納し、方法は、
第１の端末によって、仮想SIMカードを有効にするための要求を仮想カードサーバに送信するステップであって、仮想SIMカードを有効にするための要求は、仮想SIMカード識別子を含む、ステップと、
仮想SIMカード識別子に従って、第２の端末が仮想SIMカードを有効にしているかどうかを判定した後、第１の端末によって、仮想カードサーバによって送信される有効化応答メッセージを受信するステップであって、第２の端末が仮想SIMカードを有効にしていない場合、有効化応答メッセージは有効化成功メッセージである、ステップと、
有効化成功メッセージを受信した後、第１の端末によって、仮想SIMカードを有効にするステップと
を含む。
【００１５】
第２の態様の第１の可能な実施方法では、第１の端末によって、仮想SIMカードを有効にするステップの後、方法は、
第１の端末によって、仮想SIMカードを無効にするための要求を仮想カードサーバに送信するステップであって、仮想SIMカードを無効にするための要求は、加入者識別情報と、第１の端末の端末識別子と、仮想SIMカード識別子とを含む、ステップと、
加入者識別情報と仮想SIMカード識別子との間に加入関係が存在するかどうかを判定し、第１の端末の端末識別子および仮想SIMカード識別子に従って、第１の端末が仮想SIMカードを有効にしているかどうかを判定した後、第１の端末によって、仮想カードサーバによって送信される無効化応答メッセージを受信するステップであって、加入者識別情報と仮想SIMカード識別子との間に加入関係が存在する場合であり第１の端末が仮想SIMカードを有効にしているとき、無効化応答メッセージは無効化成功メッセージである、ステップと、
無効化成功メッセージを受信した後、第１の端末によって、仮想SIMカードを無効にするステップと
をさらに含む。
【００１６】
第２の態様の第２の可能な実施方法では、第１の端末が仮想SIMカードを格納する前に、方法は、
第１の端末によって、仮想SIMカードに加入するための要求を仮想カードサーバに送信するステップであって、仮想SIMカードに加入するための要求は加入者識別情報および仮想SIMカード識別子を含む、ステップと、
第１の端末によって、加入者識別情報および仮想SIMカード識別子に従って、仮想カードサーバによって送信される注文番号を受信するステップと、
第１の端末によって、支払い要求をサードパーティ支払いサーバに送信するステップであって、支払い要求は注文番号を含む、ステップと、
サードパーティ支払いサーバによって送信される支払い結果通知に従って、第１の端末が成功裏に支払ったかどうかを判定した後、第１の端末によって、仮想カードサーバによってフィードバックされる加入応答メッセージを受信するステップであって、支払い結果通知は注文番号を含み、支払い結果通知が第１の端末が成功裏に支払ったことを示す場合、加入応答メッセージは加入成功メッセージである、ステップと
をさらに含む。
【００１７】
第３の態様に基づくと、複数の端末が仮想SIMカードを共有することを実施するための仮想カードサーバが提供され、第１の端末および第２の端末は、同じ仮想SIMカードのデータを格納し、仮想カードサーバは通信ユニットおよび判定ユニットを含み、
通信ユニットは、第１の端末によって送信される、仮想SIMカードを有効にするための要求を受信するように構成され、仮想SIMカードを有効にするための要求は仮想SIMカード識別子を含み、
判定ユニットは、仮想SIMカード識別子に従って、第２の端末が仮想SIMカードを有効にしているかどうかを判定し、第２の端末が仮想SIMカードを有効にしていない場合、仮想SIMカードを第１の端末に対して有効にするように構成される。
【００１８】
第３の態様の第１の可能な実施方法では、判定ユニットは、第２の端末が仮想SIMカードを有効にしているかどうかを判定するために、仮想SIMカード識別子に従って有効化関係テーブルを照会するように構成され、有効化関係テーブルは、仮想SIMカード識別子と、端末識別子と、有効化表示とを含む。
【００１９】
第３の態様の第２の可能な実施方法では、仮想SIMカードを有効にするための要求は加入者識別情報をさらに含み、
対応して、判定ユニットは、加入者識別情報と仮想SIMカード識別子との間に加入関係が存在するかどうかを判定し、加入者識別情報と仮想SIMカード識別子との間に加入関係が存在する場合、仮想SIMカード識別子に従って、第２の端末が仮想SIMカードを有効にしているかどうかを判定するステップを実行するようにさらに構成される。
【００２０】
第３の態様の第３の可能な実施方法では、通信ユニットは、第１の端末によって送信される、仮想SIMカードを無効にするための要求を受信するようにさらに構成され、仮想SIMカードを無効にするための要求は、加入者識別情報と、第１の端末の端末識別子と、仮想SIMカード識別子とを含み、
判定ユニットは、加入者識別情報と仮想SIMカード識別子との間に加入関係が存在するかどうかを判定し、加入者識別情報と仮想SIMカード識別子との間に加入関係が存在する場合、第１の端末の端末識別子および仮想SIMカード識別子に従って、第１の端末が仮想SIMカードを有効にしているかどうかを判定し、第１の端末が仮想SIMカードを有効にしている場合、仮想SIMカードを第１の端末に対して無効にするようにさらに構成される。
【００２１】
第３の態様の第４の可能な実施方法では、仮想カードサーバは注文ユニットをさらに含み、
通信ユニットは、第１の端末によって送信される、仮想SIMカードに加入するための要求を受信するようにさらに構成され、仮想SIMカードに加入するための要求は、加入者識別情報および仮想SIMカード識別子を含み、
注文ユニットは、加入者識別情報および仮想SIMカード識別子に従って注文を生成し、第１の端末に注文の注文番号を送信するように構成され、注文は加入者識別情報および仮想SIMカード識別子を含み、
通信ユニットは、第１の端末によって送信される支払い要求に従って、サードパーティ支払いサーバによってフィードバックされる支払い結果通知を受信するようにさらに構成され、支払い要求および支払い結果通知の両方が注文番号を含み、
判定ユニットは、支払い結果通知に従って、第１の端末が成功裏に支払ったかどうかを判定し、第１の端末が成功裏に支払った場合、支払い結果通知における注文番号に従って、対応する注文における加入者識別情報および仮想SIMカード識別子を取得し、加入者識別情報と仮想SIMカード識別子との間の加入関係を確立し、加入成功メッセージを第１の端末に送信するようにさらに構成される。
【００２２】
第３の態様または第３の態様の第１の可能な実施方法から第４の可能な実施方法のうちのいずれか１つを参照すると、第３の態様の第５の可能な実施方法では、判定ユニットは、仮想SIMカード識別子に従って、第２の端末が仮想SIMカードを有効にしているかどうかを判定するとき、且つ第２の端末が仮想SIMカードを有効にしている場合、第１の端末が仮想SIMカードを有効にすることを防ぐようにさらに構成される。
【００２３】
第３の態様または第３の態様の第１の可能な実施方法から第４の可能な実施方法のうちのいずれか１つを参照すると、第３の態様の第６の可能な実施方法では、仮想SIMカード識別子に従って、第２の端末が仮想SIMカードを有効にしているかどうかを判定するとき、且つ第２の端末が仮想SIMカードを有効にしている場合、判定ユニットは、仮想SIMカードを第２の端末に対して無効にした後、仮想SIMカードを第１の端末に対して有効にする。
【００２４】
第４の態様に基づくと、複数の端末が仮想SIMカードを共有することを実施するための端末が提供され、同じ仮想SIMカードのデータを格納する第１の端末および第２の端末を含み、第１の端末は通信ユニットおよび管理ユニットを含み、
通信ユニットは、仮想SIMカードを有効にするための要求を仮想カードサーバに送信するように構成され、仮想SIMカードを有効にするための要求は、仮想SIMカード識別子を含み、且つ
通信ユニットは、仮想SIMカード識別子に従って、第２の端末が仮想SIMカードを有効にしているかどうかを判定した後、仮想カードサーバによって送信される有効化応答メッセージを受信するように構成され、第２の端末が仮想SIMカードを有効にしていない場合、有効化応答メッセージは有効化成功メッセージであり、
管理ユニットは、通信ユニットが有効化成功メッセージを受信した後、仮想SIMカードを有効にするように構成される。
【００２５】
第４の態様の第１の可能な実施方法では、通信ユニットは、仮想SIMカードを無効にするための要求を仮想カードサーバに送信するようにさらに構成され、仮想SIMカードを無効にするための要求は、加入者識別情報と、第１の端末の端末識別子と、仮想SIMカード識別子とを含み、且つ
通信ユニットは、加入者識別情報と仮想SIMカード識別子との間に加入関係が存在するかどうかを判定し、第１の端末の端末識別子および仮想SIMカード識別子に従って、第１の端末が仮想SIMカードを有効にしているかどうかを判定した後、仮想カードサーバによって送信される無効化応答メッセージを受信するようにさらに構成され、加入者識別情報と仮想SIMカード識別子との間に加入関係が存在する場合であり第１の端末が仮想SIMカードを有効にしているとき、無効化応答メッセージは無効化成功メッセージであり、
管理ユニットは、通信ユニットが無効化成功メッセージを受信した後、仮想SIMカードを無効にするようにさらに構成される。
【００２６】
第４の態様の第２の可能な実施方法では、通信ユニットは、仮想SIMカードに加入するための要求を仮想カードサーバに送信するようにさらに構成され、仮想SIMカードに加入するための要求は加入者識別情報および仮想SIMカード識別子を含み、且つ
通信ユニットは、加入者識別情報および仮想SIMカード識別子に従って、仮想カードサーバによって送信される注文番号を受信し、注文番号を含む支払い要求をサードパーティ支払いサーバに送信し、サードパーティ支払いサーバによって送信される支払い結果通知に従って、第１の端末が成功裏に支払ったかどうかを判定した後、仮想カードサーバによってフィードバックされる加入応答メッセージを受信するようにさらに構成され、支払い結果通知は注文番号を含み、支払い結果通知が第１の端末が成功裏に支払ったことを示す場合、加入応答メッセージは加入成功メッセージである。
【００２７】
第５の態様に基づくと、複数の端末が仮想SIMカードを共有するためのシステムが提供され、システムは前述の仮想カードサーバおよび前述の端末を含む。本発明における複数の端末が仮想SIMカードを共有するための方法、端末、サーバおよびシステムに基づくと、方法では、第１の端末および第２の端末は、同じ仮想SIMカードのデータを格納し、第１の端末によって送信される、仮想SIMカードを有効にするための要求が受信され、仮想SIMカードを有効にするための要求は仮想SIMカード識別子を含み、仮想SIMカード識別子に従って、第２の端末が仮想SIMカードを有効にしているかどうかが判定され、第２の端末が仮想SIMカードを有効にしていない場合、仮想SIMカードは第１の端末に対して有効にされる。方法、端末、サーバおよびシステムに基づくと、仮想SIMカードを共有する各端末は上述のように１つの仮想SIMカードを格納し、仮想カードサーバは、複数の端末のうちのただ１つの端末が同時に仮想SIMカードを使用してモバイルネットワークにアクセスすることを保証するために、端末を管理および制御し、それによって、同じ加入者の複数の端末が１つの仮想SIMカードを排他的に使用してモバイルネットワークにアクセスすることを実施し、そのことは複数の端末が仮想SIMカードを共有するための動作ステップを簡潔にする。
【図面の簡単な説明】
【００２８】
本発明の実施形態における技術的な解決手段または従来技術における技術的な解決手段をより明確に説明するために、以下では、実施形態または従来技術を説明するために必要な添付図面を簡潔に説明する。明らかに、以下の説明における添付図面は本発明のいくつかの実施形態を示し、当業者は、創造的努力なくしてこれらの添付図面から他の図面をさらに導出することができる。
【００２９】
【図１】図１は、本発明の実施形態１に係る、複数の端末が仮想SIMカードを共有するための方法のフローチャートである。
【図２】図２は、本発明の実施形態３に係る、複数の端末が仮想SIMカードを共有するための方法のフローチャートである。
【図３】図３は、本発明の実施形態４に係る、複数の端末が仮想SIMカードを共有するための方法のフローチャートである。
【図４】図４は、本発明の実施形態５に係る、複数の端末が仮想SIMカードを共有するための方法のフローチャートである。
【図５】図５は、本発明の実施形態８に係る、複数の端末が仮想SIMカードを共有するための方法のフローチャートである。
【図６】図６は、本発明の実施形態９に係る、複数の端末が仮想SIMカードを共有するための方法のフローチャートである。
【図７】図７は、本発明の実施形態１０に係る、複数の端末が仮想SIMカードを共有するための方法のフローチャートである。
【図８】図８は、本発明の実施形態１１に係る、複数の端末が仮想SIMカードを共有するための方法のフローチャートである。
【図９】図９は、本発明の実施形態１２に係る、複数の端末が仮想SIMカードを共有することを実施するための仮想カードサーバのモジュールの概略構成図である。
【図１０】図１０は、本発明の実施形態１５に係る、複数の端末が仮想SIMカードを共有することを実施するための仮想カードサーバの概略構成図である。
【図１１】図１１は、本発明の実施形態１８に係る、複数の端末が仮想SIMカードを共有することを実施するための第１の端末のモジュールの概略構成図である。
【図１２】図１２は、コンピュータシステムに基づいて実装される仮想カードサーバの実施形態を示す。
【図１３】図１３は、コンピュータシステムに基づいて実装される第１の端末の実施形態を示す。
【発明を実施するための形態】
【００３０】
本発明の実施形態の目的、技術的な解決手段および利点をより明確にするために、以下では、本発明の実施形態における添付図面を参照して、本発明の実施形態における技術的な解決手段を明確に説明する。明らかに、説明される実施形態は、本発明の実施形態の一部であり全てではない。創造的努力なくして本発明の実施形態に基づいて当業者によって取得された他の実施形態の全ては、本発明の保護範囲に包含されるべきである。
【００３１】
モバイル端末が徐々に普及してきたため、共通の加入者は、複数のモバイル電話または複数のタブレット・コンピュータのような複数のモバイル端末を有することができる。加入者は、複数の端末間で１つのSIMカードを簡便に共有することを希望する。本発明は、複数の端末が仮想SIMカードを共有するための方法を提供する。方法では、複数の端末は１つの仮想SIMカードを共有する。すなわち、複数の端末は全て、仮想SIMカードのデータをダウンロードする。しかしながら、各端末が仮想SIMカードを有効にすることを希望する前に、すなわち、仮想SIMカードを使用することによってモバイルネットワークにアクセスすることを希望する前に、各端末は、仮想カードサーバに適用する必要があり、ただ１つの端末が同時に仮想SIMカードを使用することによって、モバイルネットワークにアクセスすることが保証されるとき、仮想カードサーバは、仮想SIMカードを、アプリケーションを開始する端末に対して有効にすることを許可または防止する。
【００３２】
以下では、さらに、添付図面および実施形態を参照して、本発明の具体的な実施方法を詳細に説明する。以下の実施形態は、本発明を説明するために使用され、本発明の範囲を限定するものではない。
【００３３】
実施形態１
【００３４】
図１は、本発明の実施形態１に係る、複数の端末が仮想SIMカードを共有するための方法のフローチャートである。図１に示されるように、第１の端末および第２の端末は同じ仮想SIMカードのデータを格納し、方法は以下のステップを含む。
【００３５】
１１０．第１の端末によって送信される、仮想SIMカードを有効にするための要求を受信し、仮想SIMカードを有効にするための要求は仮想SIMカード識別子を含む。
【００３６】
さらに、方法は仮想カードサーバによって実行されてもよい。第１の端末および第２の端末は一般に、モバイル電話のようなモバイル端末であり、また、デスクトップ・コンピュータのような非モバイル端末であってもよい。さらに、第１の端末および第２の端末は仮想SIMカードをサポートする必要がある。第１の端末と仮想カードサーバとの間の通信ネットワークおよび第２の端末と仮想カードサーバとの間の通信ネットワークは一般に、ワイヤレス・フィデリティWiFiネットワークのような無線ネットワークであってもよく、また、有線ネットワークであってもよい。
【００３７】
第１の端末は自動的に、加入者の指示に従って、仮想SIMカード識別子を取得してもよいとともに、仮想SIMカードを有効にするための要求を生成してもよく、且つ仮想SIMカードを有効にするための要求を仮想カードサーバに送信してもよい。仮想SIMカード識別子は、オペレータによって割り当てられる国際移動体加入者識別番号（International Mobile SubscriberIdentificationNumber, IMSI）であってもよい。
【００３８】
１２０．仮想SIMカード識別子に従って、第２の端末が仮想SIMカードを有効にしているかどうかを判定する。
【００３９】
１３０．第２の端末が仮想SIMカードを有効にしていない場合、仮想SIMカードを第１の端末に対して有効にする。
【００４０】
さらに、仮想SIMカードを共有する第２の端末が仮想SIMカードを有効にしている可能性がある。オペレータのモバイルネットワークの制限のために、ただ１つの端末が同時に仮想SIMカードを使用してモバイルネットワークにアクセスすることが許可される。従って、仮想カードサーバは第２の端末が仮想SIMカードを有効にしているかどうかを判定する必要があり、第２の端末が仮想SIMカードを有効にしていない場合、仮想SIMカードを有効にするための要求を現在送信している第１の端末に対して仮想SIMカードを有効にし、すなわち、仮想SIMカードを有効にするための要求を現在送信している第１の端末に対して仮想SIMカードが有効にされていることを示すために、対応する有効化表示を修正し、有効化成功メッセージを第１の端末に送信する。有効化成功メッセージを受信した後、第１の端末は、仮想SIMカードを有効にするための動作を実行する。本発明における、複数の端末が仮想加入者識別モジュールSIMカードを共有するための方法に基づくと、仮想SIMカードを共有する各端末は上述のように１つの仮想SIMカードを格納し、仮想カードサーバは、複数の端末のうちのただ１つの端末が同時に仮想SIMカードを使用してモバイルネットワークにアクセスすることを保証するために、端末を管理および制御し、それによって、同じ加入者の複数の端末が１つの仮想SIMカードを排他的に使用してモバイルネットワークにアクセスすることを実施し、そのことは複数の端末が仮想SIMカードを共有するための動作ステップを簡潔にする。
【００４１】
実施形態２
【００４２】
仮想SIMカードを有効にするための要求は、加入者識別情報をさらに含んでもよい。
【００４３】
さらに、第１の端末は自動的に、加入者の指示に従って第１の端末の端末識別子および加入者識別情報を取得し、仮想SIMカード識別子とともに、それらを仮想SIMカードを有効にするための要求に追加してもよい。
【００４４】
ステップ１２０の前に、方法は、加入者識別情報と仮想SIMカード識別子との間に加入関係が存在するかどうかを判定し、加入者識別情報と仮想SIMカード識別子との間に加入関係が存在する場合、次のステップを実行し、そうでなければ処理手続きを終了するステップをさらに含む。加入者識別情報と仮想SIMカード識別子との間に加入関係が存在するかどうかを判定することは、許可された加入者、すなわち、仮想SIMカードに加入している加入者のみが仮想SIMカードを有効にできることを保証することができる。
【００４５】
さらに、ステップ１２０における、仮想SIMカード識別子に従って、第２の端末が仮想SIMカードを有効にしているかどうかを判定するステップは、仮想SIMカード識別子に従って、第２の端末が仮想SIMカードを有効にしているかどうかを判定するために、有効化関係テーブルを照会するステップであって、有効化関係テーブルは以下の表１に示されるとともに、仮想SIMカード識別子と、端末識別子と、有効化表示とを少なくとも含む。有効化関係テーブルを照会することによって、第１の端末以外の、仮想SIMカード識別子に対応する第２の端末が仮想SIMカードを有効にしているかどうかがわかる。
【００４６】
【表１】
2016522653.tif 000003
【００４７】
本実施形態におけるステップは、実施形態１と組み合わせられてもよい。
【００４８】
実施形態３
【００４９】
仮想SIMカードを有効にしている端末は、一定期間仮想SIMカードを有効にした後、仮想SIMカードを無効にしてもよく、その結果、別の端末は仮想SIMカードを有効にすることができる。
【００５０】
図２は、本発明の実施形態３に係る、複数の端末が共有される仮想SIMカードを無効にするための方法のフローチャートである。図２に示されるように、方法は以下のステップをさらに含んでもよい。
【００５１】
２１０．第１の端末によって送信される、仮想SIMカードを無効にするための要求を受信し、仮想SIMカードを無効にするための要求は、加入者識別情報と、第１の端末の端末識別子と、仮想SIMカード識別子とを含む。
【００５２】
さらに、端末は自動的に、加入者の指示に従って、加入者識別情報と、端末識別子と、仮想SIMカード識別子とを取得するとともに仮想SIMカードを無効にするための要求を生成し、且つ仮想SIMカードを無効にするための要求を仮想カードサーバに送信してもよい。
【００５３】
２２０．加入者識別情報と仮想SIMカード識別子との間に加入関係が存在するかどうかを判定し、加入者識別情報と仮想SIMカード識別子との間に加入関係が存在する場合、次のステップを実行し、そうでなければ処理手続きを終了する。
【００５４】
さらに、加入者識別情報と仮想SIMカード識別子との間に加入関係が存在するとき、加入者識別情報に対応する加入者が仮想SIMカードに事前に加入していることを示し、加入者はこの場合にのみ、仮想SIMカードを無効にする権限を持ち、そうでなければ、加入者は仮想SIMカードを無効にする権限を持たず、且つ仮想カードサーバは、加入者が仮想SIMカードに加入していないことを加入者に通知するために、第１の無効化エラーメッセージを端末にフィードバックする。
【００５５】
２３０．第１の端末の端末識別子および仮想SIMカード識別子に従って、第１の端末が仮想SIMカードを有効にしているかどうかを判定し、第１の端末が仮想SIMカードを有効にしている場合、仮想SIMカードを第１の端末に対して無効にする。
【００５６】
さらに、このステップでは、第１の端末が仮想SIMカードを有効にしているかどうかを判定するために、実施形態２に示される有効化関係テーブルが照会されてもよい。第１の端末が仮想SIMカードを事前に有効にしている場合のみ、第１の端末は仮想SIMカードを無効にする権限を持ち、そうでなければ、第１の端末は仮想SIMカードを無効にする権限を持たず、且つ仮想カードサーバは、第１の端末が仮想SIMカードを有効にしていないことを第１の端末に通知するために、第２の無効化エラーメッセージを端末にフィードバックする。仮想SIMカードを第１の端末に対して無効にするステップは、仮想SIMカードが第１の端末に対して無効にされていることを示し、無効化成功メッセージを第１の端末に送信するステップを含み、無効化成功メッセージを受信した後、第１の端末は、仮想SIMカードを無効にする動作を実行する。
【００５７】
本実施形態におけるステップは実施形態１または２と組み合わせられてもよく、一般に、第１の端末が仮想SIMカードを有効にした後に実行される。
【００５８】
実施形態４
【００５９】
加入者が仮想SIMカードに加入するプロセスは、既存のオンラインショッピング手順と同様であってもよく、例えば、クライアントまたはブラウザは、仮想カードオペレータのオンラインストアで仮想SIMカードに加入するために使用される。加えて、実施形態４は、具体的な加入方法の実施形態を提供する。
【００６０】
図３は、本発明の実施形態４に係る、複数の端末が仮想SIMカードを共有するための方法のフローチャートである。図３に示されるように、方法は以下のステップをさらに含んでもよい。
【００６１】
３１０．第１の端末によって送信される、仮想SIMカードに加入するための要求を受信し、仮想SIMカードに加入するための要求は、加入者識別情報および仮想SIMカード識別子を含む。
【００６２】
さらに、加入者が選択し、加入者の選択の後に加入者の指示を生成し、加入者の指示を第１の端末に入力するために、仮想カードサーバは、ネットワークを使用することによって、利用可能な仮想SIMカード識別子を加入者に事前に提供してもよく、加入者の指示および加入者によって事前に登録された加入者識別情報に従って、第１の端末は仮想SIMカードに加入するための要求を生成するとともに、仮想SIMカードに加入するための要求を仮想カードサーバに送信する。
【００６３】
３２０．加入者識別情報および仮想SIMカード識別子に従って注文を生成し、第１の端末に注文の注文番号を送信し、注文は加入者識別情報および仮想SIMカード識別子を含む。
【００６４】
さらに、注文は加入者識別情報および仮想SIMカード識別子を記録し、さらに、支払いが行われていないという現在の状態を追加的に記録してもよい。注文番号は１対1方式で注文に対応する。
【００６５】
３３０．第１の端末によって送信される支払い要求に従って、サードパーティ支払いサーバによってフィードバックされる支払い結果通知を受信し、支払い要求および支払い結果通知の両方が注文番号を含む。
【００６６】
さらに、第１の端末は、注文番号を受信した後、支払い要求をサードパーティ支払いサーバに送信し、支払い要求は注文番号および銀行口座のような関連情報を含む。サードパーティ支払いサーバは、支払い要求に従って、料金差引（fee deduction）の操作を実行した後、注文番号を含む支払い結果通知を生成し、支払い結果通知を仮想カードサーバにフィードバックする。
【００６７】
３４０．支払い結果通知に従って、第１の端末が成功裏に支払ったかどうかを判定し、第１の端末が成功裏に支払った場合、支払い結果通知における注文番号に従って、対応する注文における加入者識別情報および仮想SIMカード識別子を取得し、加入者識別情報と仮想SIMカード識別子との間の加入関係を確立し、加入成功メッセージを第１の端末に送信する。
【００６８】
さらに、第１の端末が成功裏に支払われた後、仮想カードサーバは、対応する注文における加入者識別情報および仮想SIMカード識別子に従って、以下の表２に示される加入関係テーブルを確立し、且つ仮想SIMカードがダウンロード可能であることを加入者に通知するために、加入仮想メッセージを第１の端末に送信する。
【００６９】
【表２】
2016522653.tif 000004
【００７０】
本実施形態におけるステップは実施形態１、２または３と組み合わせられてもよく、一般に、第１の端末が仮想SIMカードを格納する前に完了する。
【００７１】
実施形態５
【００７２】
加入者は、仮想SIMカードに加入した後、仮想SIMカードをダウンロードしてもよい。実施形態５は、具体的なダウンロード方法を提供する。
【００７３】
図４は、本発明の実施形態５に係る、複数の端末が仮想SIMカードを共有するための方法のフローチャートである。図４に示されるように、方法は以下のステップをさらに含んでもよい。
【００７４】
４１０．第１の端末に対する安全な通信チャネルを確立する。
【００７５】
さらに、安全な通信チャネルがWiFiに基づいて実装されてもよく、または、インターネットにアクセスすることができる仮想SIMカードが第１の端末に対して出荷時に事前に設定されてもよく、その結果、第１の端末が購入されるとき、加入者はインターネットアクセス能力を有することができる。さらに、第１の端末に対して事前に設定された仮想SIMカードは、限定サービスにのみアクセスすることができ、例えば、第１の端末の製造業者のサービスおよび仮想カードオペレータのサービスにのみアクセスすることができる。加えて、前述の実施形態４における、第１の端末が仮想SIMカードに加入するプロセスは、事前に設定された仮想SIMカードに基づいて実施されてもまたよい。
【００７６】
４２０．安全な通信チャネルを使用することによって、第１の端末によって送信される、仮想SIMカードをダウンロードするための要求を受信し、仮想SIMカードをダウンロードするための要求は、加入者識別情報と、第１の端末の端末識別子と、仮想SIMカード識別子とを含む。
【００７７】
さらに、加入者の指示に従って、端末は、仮想SIMカードをダウンロードするための要求を生成し、仮想SIMカードをダウンロードするための要求を仮想カードサーバに送信してもよい。
【００７８】
４３０．加入者識別情報と仮想SIMカード識別子との間に加入関係が存在するかどうかを判定し、加入者識別情報と仮想SIMカード識別子との間に加入関係が存在する場合、次のステップを実行し、そうでなければ処理手続きを終了する。
【００７９】
さらに、加入者識別情報と仮想SIMカード識別子との間に加入関係が存在するとき、加入者識別情報に対応する加入者が仮想SIMカードに事前に加入していることを示し、加入者はこの場合にのみ、仮想SIMカードをダウンロードする権限を持ち、そうでなければ、加入者は仮想SIMカードをダウンロードする権限を持たず、且つ仮想カードサーバは、加入者が仮想SIMカードに加入していないことを加入者に通知するために、ダウンロードエラー情報を端末にフィードバックする。
【００８０】
４４０．第１の端末の端末識別子と仮想SIMカード識別子との間の結合関係を確立し、安全な通信チャネルを使用することによって、仮想SIMカードを第１の端末に送信する。
【００８１】
さらに、仮想SIMカードを第１の端末に送信するのと同時に、仮想カードサーバは、仮想SIMカードをダウンロードした全ての端末の端末識別子を記録するために、表３に示されるものと同様の、端末識別子と仮想SIMカード識別子との間の結合関係テーブルを格納し、それによって、対応する端末が仮想SIMカードを有効にする権限を持つかどうかの次の判定を容易にする。初期状態における有効化状態の欄は無効であり、端末が仮想SIMカードを有効にすることを申込むとともに仮想カードサーバによって許可された後、有効に更新され、１および０が有効および無効をそれぞれ示すために使用されてもよい。
【００８２】
【表３】
2016522653.tif 000005
【００８３】
本実施形態におけるステップは実施形態１、２、３または４と組み合わせられてもよく、一般に、第１の端末が仮想SIMカードを格納する前に完了する。
【００８４】
実施形態６
【００８５】
実施形態６では、ステップ１２０の後、方法は、第２の端末が仮想SIMカードを有効にしている場合、第１の端末が仮想SIMカードを有効にすることを防ぐステップをさらに含む。
【００８６】
換言すると、本実施形態では、第１の端末以外の別の端末が仮想SIMカードを有効にしているとともに仮想SIMカードを無効にしていないとき、仮想カードサーバは第１の端末が仮想SIMカードを有効にすることを防ぐ。
【００８７】
本実施形態に係る方法は実施形態１、２、３、４または５と組み合わせられてもよい。
【００８８】
実施形態７
【００８９】
実施形態７では、ステップ１２０の後、方法は、第２の端末が仮想SIMカードを有効にしている場合、仮想SIMカードを第２の端末に対して無効にした後、仮想SIMカードを第１の端末に対して有効にするステップをさらに含む。
【００９０】
換言すると、本実施形態では、第１の端末以外の別の端末が仮想SIMカードを有効にしているとともに仮想SIMカードを無効にしていないとき、第１の端末の、仮想SIMカードを有効にするための要求を受信した後、仮想カードサーバは第１の端末が仮想SIMカードを占有することを許可し、すなわち、第２の端末が仮想SIMカードを無効にすることを強制するとともに、仮想SIMカードを第１の端末に対して有効にする。
【００９１】
本実施形態に係る方法は実施形態１、２、３、４または５と組み合わせられてもよい。
【００９２】
実施形態８
【００９３】
図５は、本発明の実施形態８に係る、複数の端末が仮想SIMカードを共有するための方法のフローチャートである。図５に示されるように、実施形態８に係る方法では、第１の端末は仮想SIMカードを有効にするための要求を仮想カードサーバに送信し、第１の端末および第２の端末は同じ仮想SIMカードのデータを格納する。
【００９４】
方法は以下のステップを含む。
【００９５】
５１０．第１の端末は、仮想SIMカードを有効にするための要求を仮想カードサーバに送信し、仮想SIMカードを有効にするための要求は仮想SIMカード識別子を含む。
【００９６】
５２０．仮想SIMカード識別子に従って、第２の端末が仮想SIMカードを有効にしているかどうかを判定した後、第１の端末は、仮想カードサーバによって送信される有効化応答メッセージを受信し、第２の端末が仮想SIMカードを有効にしていない場合、有効化応答メッセージは有効化成功メッセージである。
【００９７】
５３０．有効化成功メッセージを受信した後、第１の端末は仮想SIMカードを有効にする。
【００９８】
加えて、第１の端末が、仮想カードサーバによってフィードバックされた有効化応答メッセージを、ネットワークの例外等の理由により事前に設定された期間内に受信しない場合、対応する判定を再び行った後、有効化応答メッセージを端末に再びフィードバックするように仮想カードサーバをトリガするために、第１の端末は仮想SIMカードを有効にするための要求を仮想カードサーバに再送してもよく、且つ以前に生成された有効化応答メッセージを再送するように仮想カードサーバをトリガするために、第１の端末はまた、状態再送要求を仮想カードサーバに送信してもよい。
【００９９】
実施形態９
【０１００】
図６は、本発明の実施形態９に係る、複数の端末が仮想SIMカードを共有するための方法のフローチャートである。図６に示されるように、方法は以下のステップをさらに含んでもよい。
【０１０１】
６１０．第１の端末は、仮想SIMカードを無効にするための要求を仮想カードサーバに送信し、仮想SIMカードを無効にするための要求は、加入者識別情報と、第１の端末の端末識別子と、仮想SIMカード識別子とを含む。
【０１０２】
６２０．加入者識別情報と仮想SIMカード識別子との間に加入関係が存在するかどうかを判定し、第１の端末の端末識別子および仮想SIMカード識別子に従って、第１の端末が仮想SIMカードを有効にしているかどうかを判定した後、第１の端末は、仮想カードサーバによって送信される無効化応答メッセージを受信し、加入者識別情報と仮想SIMカード識別子との間に加入関係が存在するとともに第１の端末が仮想SIMカードを有効にしているとき、無効化応答メッセージは無効化成功メッセージである。
【０１０３】
加入者識別情報と仮想SIMカード識別子との間に加入関係が存在しない場合、加入者が仮想SIMカードに加入していないことを加入者に通知するために、無効化応答メッセージは一般に、第１無効化エラーメッセージである。第１の端末が仮想SIMカードを有効にしていない場合、加入者が仮想SIMカードを有効にしていないことを加入者に通知するために、無効化応答メッセージは一般に、第２無効化エラーメッセージである。
【０１０４】
６３０．無効化成功メッセージを受信した後、第１の端末は仮想SIMカードを無効にする。
【０１０５】
本実施形態に係る方法は実施形態８と組み合わせられてもよく、一般に、第１の端末が仮想SIMカードを有効にした後に実行される。
【０１０６】
加えて、第１の端末が、ネットワークの例外等の理由により事前に設定された期間内に仮想カードサーバの無効化応答メッセージを受信しない場合、対応する判定を再び行った後、無効化応答メッセージを第１の端末に再送するように仮想カードサーバをトリガするために、第１の端末は仮想SIMカードを無効にするための要求を仮想カードサーバに再送してもよく、且つ以前に生成された無効化応答メッセージを再送するように仮想カードサーバをトリガするために、第１の端末はまた、状態再送要求を仮想カードサーバに送信してもよい。
【０１０７】
実施形態１０
【０１０８】
図７は、本発明の実施形態１０に係る、複数の端末が仮想SIMカードを共有するための方法のフローチャートである。図７に示されるように、方法は以下のステップをさらに含んでもよい。
【０１０９】
７１０．第１の端末は、仮想SIMカードに加入するための要求を仮想カードサーバに送信し、仮想SIMカードに加入するための要求は加入者識別情報および仮想SIMカード識別子を含む。
【０１１０】
さらに、加入者が選択し、加入者の選択の後に加入者の指示を生成し、加入者の指示を第１の端末に入力するために、仮想カードサーバは、ネットワークを使用することによって、利用可能な仮想SIMカード識別子を加入者に事前に提供してもよく、加入者の指示および加入者によって事前に登録された加入者識別情報に従って、第１の端末は仮想SIMカードに加入するための要求を生成するとともに、仮想SIMカードに加入するための要求を仮想カードサーバに送信する。
【０１１１】
７２０．第１の端末は、加入者識別情報および仮想SIMカード識別子に従って、仮想カードサーバによって送信される注文番号を受信する。
【０１１２】
７３０．第１の端末は、支払い要求をサードパーティ支払いサーバに送信し、支払い要求は注文番号を含む。
【０１１３】
さらに、第１の端末は、注文番号を受信した後、加入者の指示に従って、支払い要求をサードパーティ支払いサーバに送信してもよく、支払い要求は注文番号および銀行口座のような関連情報を含む。サードパーティ支払いサーバは、支払い要求に従って、料金差引（fee deduction）の操作を実行した後、注文番号を含む支払い結果通知を生成し、支払い結果通知を仮想カードサーバにフィードバックする。
【０１１４】
７４０．サードパーティ支払いサーバによって送信される支払い結果通知に従って、第１の端末が成功裏に支払ったかどうかを判定した後、第１の端末は、仮想カードサーバによってフィードバックされる加入応答メッセージを受信し、支払い結果通知は注文番号を含み、支払い結果通知が第１の端末が成功裏に支払ったことを示すとき、応答メッセージは加入成功メッセージである。
【０１１５】
本実施形態に係る方法は実施形態８または９と組み合わせられてもよく、一般に、第１の端末が仮想SIMカードを格納する前に実行される。
【０１１６】
実施形態１１
【０１１７】
図８は、本発明の実施形態１１に係る、複数の端末が仮想SIMカードを共有するための方法のフローチャートである。図８に示されるように、方法は以下のステップをさらに含んでもよい。
【０１１８】
８１０．第１の端末は、仮想カードサーバに対する安全な通信チャネルを確立する。
【０１１９】
さらに、安全な通信チャネルがWiFiに基づいて実装されてもよく、または、インターネットにアクセスすることができる仮想SIMカードが第１の端末に対して出荷時に事前に設定されてもよく、その結果、第１の端末が購入されるとき、加入者はインターネットアクセス能力を有することができる。さらに、第１の端末に対して事前に設定された仮想SIMカードは、限定サービスにのみアクセスすることができ、例えば、第１の端末の製造業者のサービスおよび仮想カードオペレータのサービスにのみアクセスすることができる。加えて、前述の実施形態１１における、端末が仮想SIMカードに加入するプロセスは、事前に設定された仮想SIMカードに基づいて実施されてもまたよい。
【０１２０】
８２０．第１の端末は、安全な通信チャネルを使用することによって、仮想SIMカードをダウンロードするための要求を仮想カードサーバに送信し、仮想SIMカードをダウンロードするための要求は、加入者識別情報と、第１の端末の端末識別子と、仮想SIMカード識別子とを含む。
【０１２１】
８３０．加入者識別情報と仮想SIMカード識別子との間に加入関係が存在するかどうかを判定した後、第１の端末は、安全な通信チャネルを使用することによって、仮想カードサーバによって送信されるダウンロード応答メッセージを受信し、加入者識別情報と仮想SIMカード識別子との間に加入関係が存在するとき、仮想カードサーバは、第１の端末の端末識別子と仮想SIMカード識別子との間の結合関係を確立し、ダウンロード応答メッセージはダウンロード成功メッセージである。
【０１２２】
８４０．ダウンロード成功メッセージを受信した後、第１の端末は仮想SIMカードをダウンロードし、仮想SIMカードを格納する。
【０１２３】
本実施形態に係る方法は実施形態８、９または１０と組み合わせられてもよく、一般に、第１の端末が仮想SIMカードを格納する前に実行される。
【０１２４】
実施形態１２
【０１２５】
図９は、本発明の実施形態１２に係る、複数の端末が仮想SIMカードを共有することを実施するための仮想カードサーバの概略構成図である。図９に示されるように、仮想カードサーバ９００は通信ユニット９１０および判定ユニット９２０を含む。
【０１２６】
通信ユニット９１０は、第１の端末によって送信される、仮想SIMカードを有効にするための要求を受信するように構成され、仮想SIMカードを有効にするための要求は仮想SIMカード識別子を含む。
【０１２７】
判定ユニット９２０は、仮想SIMカード識別子に従って、第２の端末が仮想SIMカードを有効にしているかどうかを判定し、第２の端末が仮想SIMカードを有効にしていない場合、仮想SIMカードを第１の端末に対して有効にするように構成される。
【０１２８】
第１の端末および第２の端末は同じ仮想SIMカードのデータを格納する。
【０１２９】
実施形態１３
【０１３０】
本実施方法では、判定ユニット９２０は、第２の端末が仮想SIMカードを有効にしているかどうかを判定するために、仮想SIMカード識別子に従って有効化関係テーブルを照会するように構成され、有効化関係テーブルは、仮想SIMカード識別子と、端末識別子と、有効化表示とを含む。
【０１３１】
加えて、仮想SIMカードを有効にするための要求は、加入者識別情報をさらに含む。
【０１３２】
対応して、判定ユニット９２０は、加入者識別情報と仮想SIMカード識別子との間に加入関係が存在するかどうかを判定し、加入者識別情報と仮想SIMカード識別子との間に加入関係が存在する場合、仮想SIMカード識別子に従って、第２の端末が仮想SIMカードを有効にしているかどうかを判定するステップを実行するようにさらに構成される。
【０１３３】
実施形態１４
【０１３４】
本実施形態では、通信ユニット９１０は、第１の端末によって送信される、仮想SIMカードを無効にするための要求を受信するようにさらに構成され、仮想SIMカードを無効にするための要求は、加入者識別情報と、第１の端末の端末識別子と、仮想SIMカード識別子とを含む。
【０１３５】
判定ユニット９２０は、加入者識別情報と仮想SIMカード識別子との間に加入関係が存在するかどうかを判定し、加入者識別情報と仮想SIMカード識別子との間に加入関係が存在する場合、第１の端末の端末識別子および仮想SIMカード識別子に従って、第１の端末が仮想SIMカードを有効にしているかどうかを判定し、第１の端末が仮想SIMカードを有効にしている場合、仮想SIMカードを第１の端末に対して無効にするようにさらに構成される。
【０１３６】
実施形態１５
【０１３７】
本実施形態では、図１０に示されるように、仮想カードサーバ９００は、端末が仮想SIMカードに加入する関連処理手続きを処理するための注文ユニット１０１０をさらに含む。
【０１３８】
さらに、通信ユニット９１０は、第１の端末によって送信される、仮想SIMカードに加入するための要求を受信するようにさらに構成され、仮想SIMカードに加入するための要求は、加入者識別情報および仮想SIMカード識別子を含む。
【０１３９】
注文ユニット１０１０は、加入者識別情報および仮想SIMカード識別子に従って注文を生成し、第１の端末に注文の注文番号を送信するように構成され、注文は加入者識別情報および仮想SIMカード識別子を含む。
【０１４０】
通信ユニット９１０は、第１の端末によって送信される支払い要求に従って、サードパーティ支払いサーバによってフィードバックされる支払い結果通知を受信するようにさらに構成され、支払い要求および支払い結果通知の両方が注文番号を含む。
【０１４１】
判定ユニット９２０は、支払い結果通知に従って、第１の端末が成功裏に支払ったかどうかを判定し、第１の端末が成功裏に支払った場合、支払い結果通知における注文番号に従って、対応する注文における加入者識別情報および仮想SIMカード識別子を取得し、加入者識別情報と仮想SIMカード識別子との間の加入関係を確立し、加入成功メッセージを第１の端末に送信するようにさらに構成される。
【０１４２】
実施形態１６
【０１４３】
本実施形態では、判定ユニット９２０は、仮想SIMカード識別子に従って、第２の端末が仮想SIMカードを有効にしているかどうかを判定するとき、且つ第２の端末が仮想SIMカードを有効にしている場合、第１の端末が仮想SIMカードを有効にすることを防ぐようにさらに構成される。
【０１４４】
本実施形態は、実施形態１２、１３、１４または１５と組み合わせられてもよい。
【０１４５】
実施形態１７
【０１４６】
本実施形態では、仮想SIMカード識別子に従って、第２の端末が仮想SIMカードを有効にしているかどうかを判定するとき、且つ第２の端末が仮想SIMカードを有効にしている場合、判定ユニットは、仮想SIMカードを第２の端末に対して無効にした後、仮想SIMカードを第１の端末に対して有効にする。
【０１４７】
本実施形態は、実施形態１２、１３、１４または１５と組み合わせられてもよい。
【０１４８】
実施形態１８
【０１４９】
図１１は、本発明の実施形態１８に係る、複数の端末が仮想SIMカードを共有することを実施するための端末の概略構成図であって、端末は同じ仮想SIMカードのデータを格納する第１の端末および第２の端末を含む。図１１に示されるように、第１の端末１１００は通信ユニット１１１０および管理ユニット１１２０を含む。
【０１５０】
通信ユニット１１１０は、仮想SIMカードを有効にするための要求を仮想カードサーバに送信するように構成され、仮想SIMカードを有効にするための要求は、仮想SIMカード識別子を含み、且つ
通信ユニット１１１０は、仮想SIMカード識別子に従って、第２の端末が仮想SIMカードを有効にしているかどうかを判定した後、仮想カードサーバによって送信される有効化応答メッセージを受信するように構成され、第２の端末が仮想SIMカードを有効にしていない場合、有効化応答メッセージは有効化成功メッセージである。
【０１５１】
管理ユニット１１２０は、通信ユニットが有効化成功メッセージを受信した後、仮想SIMカードを有効にするように構成される。加えて、第２の端末および第１の端末は同じ構成を有し、繰返し説明はされない。
【０１５２】
実施形態１９
【０１５３】
本実施形態では、通信ユニット１１１０は、仮想SIMカードを無効にするための要求を仮想カードサーバに送信するようにさらに構成され、仮想SIMカードを無効にするための要求は、加入者識別情報と、第１の端末の端末識別子と、仮想SIMカード識別子とを含み、且つ
通信ユニット１１１０は、加入者識別情報と仮想SIMカード識別子との間に加入関係が存在するかどうかを判定し、第１の端末の端末識別子および仮想SIMカード識別子に従って、第１の端末が仮想SIMカードを有効にしているかどうかを判定した後、仮想カードサーバによって送信される無効化応答メッセージを受信するようにさらに構成され、加入者識別情報と仮想SIMカード識別子との間に加入関係が存在する場合であり第１の端末が仮想SIMカードを有効にしているとき、無効化応答メッセージは無効化成功メッセージである。
【０１５４】
管理ユニット１１２０は、通信ユニットが無効化成功メッセージを受信した後、仮想SIMカードを無効にするようにさらに構成される。
【０１５５】
実施形態２０
【０１５６】
本実施形態では、通信ユニット１１１０は、仮想SIMカードに加入するための要求を仮想カードサーバに送信するようにさらに構成され、仮想SIMカードに加入するための要求は加入者識別情報および仮想SIMカード識別子を含み、且つ
通信ユニット１１１０は、加入者識別情報および仮想SIMカード識別子に従って、仮想カードサーバによって送信される注文番号を受信し、注文番号を含む支払い要求をサードパーティ支払いサーバに送信し、サードパーティ支払いサーバによって送信される支払い結果通知に従って、第１の端末が成功裏に支払ったかどうかを判定した後、仮想カードサーバによってフィードバックされる加入応答メッセージを受信するようにさらに構成され、支払い結果通知は注文番号を含み、支払い結果通知が第１の端末が成功裏に支払ったことを示す場合、加入応答メッセージは加入成功メッセージである。
【０１５７】
実施形態２１
【０１５８】
本実施形態は、複数の端末が仮想SIMカードを共有するためのシステムを提供し、システムは、実施形態１２乃至１７のいずれか１つに係る仮想カードサーバおよび実施形態１８乃至２０のいずれか１つに係る端末を含む。
【０１５９】
本発明の本実施形態における仮想カードサーバはコンピュータシステムに基づいて実装されてもよいとともに、図１、図２、図３および図４に示される方法は、コンピュータシステムに基づく仮想カードサーバ上で全て実施されてもよい。図１２は、コンピュータシステムに基づいて実装される仮想カードサーバの実施形態を示す。本実施形態における仮想カードサーバはプロセッサ１２０１と、メモリ１２０２と、通信インタフェース１２０３とを含んでもよい。
【０１６０】
通信インタフェース１２０３は第１の端末と通信するように構成される。第１の端末と仮想カードサーバとの間で交換される（図１、図２、図３および図４における方法の実施形態で示されるような）メッセージは全て、通信インタフェース１２０３を介して送受信される。さらに、通信インタフェース１２０３は、第１の端末によって送信される、仮想SIMカードを有効にするための要求と、仮想SIMカードを無効にするための要求と、仮想SIMカードに加入するための要求とを受信するように構成される。
【０１６１】
メモリ１２０２はプログラム命令を格納するように構成される。
【０１６２】
プロセッサ１２０１は、第１の端末によって送信される、仮想SIMカードを有効にするための要求が受信された後、仮想SIMカード識別子に従って、第２の端末が仮想SIMカードを有効にしているかどうかを判定する動作と、第２の端末が仮想SIMカードを有効にしていない場合、仮想SIMカードを第１の端末に対して有効にする動作を行うための、メモリ１２０２内に格納されるプログラム命令を呼び出すように構成される。
【０１６３】
プロセッサ１２０１は、端末によって送信される、仮想SIMカードを無効にするための要求が受信された後、加入者識別情報と仮想SIMカード識別子との間に加入関係が存在するかどうかを判定する動作と、加入者識別情報と仮想SIMカード識別子との間に加入関係が存在する場合、第１の端末の端末識別子および仮想SIMカード識別子に従って、第１の端末が仮想SIMカードを有効にしているかどうかを判定する動作と、第１の端末が仮想SIMカードを有効にしている場合、仮想SIMカードを第１の端末に対して無効にする動作とを行うための、メモリ１２０２内に格納されるプログラム命令を呼び出すようにさらに構成される。
【０１６４】
プロセッサ１２０１は、端末によって送信される、仮想SIMカードに加入するための要求が受信された後、
加入者識別情報および仮想SIMカード識別子に従って注文を生成し、第１の端末に注文の注文番号を送信する動作であって、注文は加入者識別情報および仮想SIMカード識別子を含む、動作と、
第１の端末によって送信される支払い要求に従って、サードパーティ支払いサーバによってフィードバックされる支払い結果通知を受信する動作であって、支払い要求および支払い結果通知の両方が注文番号を含む、動作と、
支払い結果通知に従って、第１の端末が成功裏に支払ったかどうかを判定し、第１の端末が成功裏に支払った場合、支払い結果通知における注文番号に従って、対応する注文における加入者識別情報および仮想SIMカード識別子を取得し、加入者識別情報と仮想SIMカード識別子との間の加入関係を確立し、加入成功メッセージを第１の端末に送信する動作と
を行うための、メモリ１２０２内に格納されるプログラム命令を呼び出すようにさらに構成される。
【０１６５】
プロセッサ１２０１は、中央処理装置（central processing unit，CPU）や特定用途向け集積回路（application-specific integrated circuit，ASIC）等であってもよい。本実施形態における仮想カードサーバはバス１２０４を含んでもよい。プロセッサ１２０１、メモリ１２０２および通信インタフェース１２０３は、バス１２０４を使用することによって互いに接続されるとともに通信してもよい。メモリ１２０２は、ランダム・アクセス・メモリ（random access memory，RAM）、読み出し専用メモリ（read-only memory，ROM）または磁気ディスクのような記憶機能を有するエンティティを含んでもよい。
【０１６６】
本発明の本実施形態における第１の端末はコンピュータシステムに基づいて実装されてもよいとともに、図５、図６、図７および図８に示される方法は、コンピュータシステムに基づく端末上で全て実施されてもよい。図１３は、コンピュータシステムに基づいて実装される第１の端末の実施形態を示す。本実施形態における第１の端末はプロセッサ１３０１と、メモリ１３０２と、通信インタフェース１３０３とを含んでもよい。
【０１６７】
通信インタフェース１３０３は仮想カードサーバと通信するように構成される。第１の端末と仮想カードサーバとの間で交換される（図５、図６、図７および図８における方法の実施形態で示されるような）メッセージは全て、通信インタフェース１３０３を介して送受信される。メモリ１３０２はプログラム命令を格納するように構成される。
【０１６８】
プロセッサ１３０１は、有効化成功メッセージを受信した後、仮想SIMカードを有効にするように構成される。
【０１６９】
プロセッサ１３０１は、無効化成功メッセージを受信した後、仮想SIMカードを無効にするようにさらに構成される。
【０１７０】
プロセッサ１３０１は、中央処理装置（central processing unit，CPU）や特定用途向け集積回路（application-specific integrated circuit，ASIC）等であってもよい。本実施形態における第１の端末はバス１３０４を含んでもよい。プロセッサ１３０１、メモリ１３０２および通信インタフェース１３０３は、バス１３０４を使用することによって互いに接続されるとともに通信してもよい。メモリ１３０２は、ランダム・アクセス・メモリ（random access memory，RAM）、読み出し専用メモリ（read-only memory，ROM）または磁気ディスクのような記憶機能を有するエンティティを含んでもよい。
【０１７１】
加えて、第２の端末および第１の端末は同じハードウェア構成を有し、繰返し説明はされない。
【０１７２】
本発明の実施形態における、複数の端末が仮想SIMカードを共有するための方法、端末、サーバおよびシステムに基づくと、第１の端末および第２の端末は、同じ仮想SIMカードのデータを格納し、方法は、第１の端末によって送信される、仮想SIMカードを有効にするための要求を受信するステップであって、仮想SIMカードを有効にするための要求は仮想SIMカード識別子を含む、ステップと、仮想SIMカード識別子に従って、第２の端末が仮想SIMカードを有効にしているかどうかを判定するステップと、第２の端末が仮想SIMカードを有効にしていない場合、仮想SIMカードを第１の端末に対して有効にするステップとを含む。複数の端末が仮想SIMカードを共有するための方法に基づくと、仮想SIMカードを共有する各端末は上述のように１つの仮想SIMカードを格納し、仮想カードサーバは、複数の端末のうちのただ１つの端末が同時に仮想SIMカードを使用してモバイルネットワークにアクセスすることを保証するために、端末を管理および制御し、それによって、同じ加入者の複数の端末が１つの仮想SIMカードを排他的に使用してモバイルネットワークにアクセスすることを実施し、そのことは複数の端末が仮想SIMカードを共有するための動作ステップを簡潔にする。
【０１７３】
当業者は、本発明の態様または態様の可能な実施方法は、システム、方法またはコンピュータプログラム製品として実施されてもよいことを理解することができる。従って、本発明の態様または態様の可能な実施方法は、完全にハードウェアの実施形態の形態を使用してもよく、完全にソフトウェアの実施形態（ファームウェア、常駐ソフトウェア等を含む）の形態を使用してもよく、またはソフトウェアとハードウェアの態様を組み合わせた実施形態の形態を使用してもよく、それらは全て一般に、「回路」、「モジュール」または「システム」と呼ばれる。加えて、本発明の態様または態様の可能な実施方法は、コンピュータプログラム製品の形態を使用してもよいとともに、コンピュータプログラム製品はコンピュータ可読媒体に格納されるコンピュータ可読プログラムコードを参照する。
【０１７４】
コンピュータ可読媒体は、コンピュータ可読信号媒体またはコンピュータ可読記憶媒体であってもよい。コンピュータ可読記憶媒体は、ランダム・アクセス・メモリ（RAM）、読み出し専用メモリ（ROM）、消去可能プログラマブル読み出し専用メモリ（EPROMまたはフラッシュメモリ）、光ファイバまたは携帯型読み出し専用メモリ（CD-ROM）のような、電子的、磁気的、光学的、電磁的、赤外線または半導体のシステム、端末または装置、またはそれらの任意の適切な組み合わせを含むが、それらに限定はされない。
【０１７５】
コンピュータ内のプロセッサは、コンピュータ可読媒体内のコンピュータ可読プログラムコードを読み出し、その結果、プロセッサはフローチャート内の各ステップまたはステップの組み合わせで示される機能的なアクションを実行することができるとともに、ブロック図内の各ブロックまたはブロックの組み合わせで示される機能的なアクションを実施する装置を生成することができる。
【０１７６】
コンピュータ可読プログラムコードは、完全に加入者のコンピュータで実行されるか、部分的に加入者のコンピュータで実行されるか、独立したソフトウェアパッケージとして、部分的に加入者のコンピュータで実行されるか、部分的にリモートコンピュータで実行されるか、または完全にリモートコンピュータまたはリモートサーバで実行されることができる。いくつかの代替の実施の解決手段では、フローチャートのステップまたはブロック図内のブロックによって示される機能は、図に示された順序で起こらなくてもよいことがまた留意されるべきである。例えば、関係する機能に応じて、連続的に示される２つのステップまたは２つのブロックがほぼ同時に行われてもよく、またはこれらのブロックは時には逆の順序で行われてもよい。
【０１７７】
当業者が、本発明の精神および範囲から逸脱することなく、本発明に対する様々な修正および変更を行うことができることは明らかである。このように、本発明に対する修正および変更が本発明の特許請求の範囲および均等な技術に包含される場合、本発明はまた、これらの修正および変更を含むことを意図される。
【符号の説明】
【０１７８】
９００    仮想カードサーバ
９１０    通信ユニット
９２０    判定ユニット
１０１０  注文ユニット
１１００  第１の端末
１１１０  通信ユニット
１１２０  管理ユニット
１２０１  プロセッサ
１２０２  メモリ
１２０３  通信インタフェース
１３０１  プロセッサ
１３０２  メモリ
１３０３  通信インタフェース
【図１】
2016522653.tif 000006
【図２】
2016522653.tif 000007
【図３】
2016522653.tif 000008
【図４】
2016522653.tif 000009
【図５】
2016522653.tif 000010
【図６】
2016522653.tif 000011
【図７】
2016522653.tif 000012
【図８】
2016522653.tif 000013
【図９】
2016522653.tif 000014
【図１０】
2016522653.tif 000015
【図１１】
2016522653.tif 000016
【図１２】
2016522653.tif 000017
【図１３】
2016522653.tif 000018
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
仮想加入者識別モジュールSIMカードを共有する複数の端末のための方法であって、第１の端末および第２の端末は、同じ仮想SIMカードのデータを格納し、前記方法は、
前記第１の端末によって送信される、前記仮想SIMカードを有効にするための要求を受信するステップであって、前記仮想SIMカードを有効にするための前記要求は仮想SIMカード識別子を有する、ステップと、
前記仮想SIMカード識別子に従って、前記第２の端末が前記仮想SIMカードを有効にしているかどうかを判定するステップと、
前記第２の端末が前記仮想SIMカードを有効にしていない場合、前記仮想SIMカードを前記第１の端末に対して有効にするステップと
を有する方法。
【請求項２】
前記仮想SIMカード識別子に従って、前記第２の端末が前記仮想SIMカードを有効にしているかどうかを判定する前記ステップは、
前記第２の端末が前記仮想SIMカードを有効にしているかどうかを判定するために、前記仮想SIMカード識別子に従って有効化関係テーブルを照会するステップであって、前記有効化関係テーブルは、前記仮想SIMカード識別子と、端末識別子と、有効化表示とを有する、ステップである、請求項１に記載の方法。
【請求項３】
前記仮想SIMカードを有効にするための前記要求は加入者識別情報をさらに有し、
前記仮想SIMカード識別子に従って、前記第２の端末が前記仮想SIMカードを有効にしているかどうかを判定する前記ステップの前に、前記方法は、
前記加入者識別情報と前記仮想SIMカード識別子との間に加入関係が存在するかどうかを判定し、前記加入者識別情報と前記仮想SIMカード識別子との間に前記加入関係が存在する場合、前記仮想SIMカード識別子に従って、前記第２の端末が前記仮想SIMカードを有効にしているかどうかを判定する前記ステップを実行するステップ
をさらに有する、請求項１または２に記載の方法。
【請求項４】
前記仮想SIMカードを前記第１の端末に対して有効にする前記ステップの後、前記方法は、
前記第１の端末によって送信される、前記仮想SIMカードを無効にするための要求を受信するステップであって、前記仮想SIMカードを無効にするための前記要求は、加入者識別情報と、前記第１の端末の端末識別子と、前記仮想SIMカード識別子とを有する、ステップと、
前記加入者識別情報と前記仮想SIMカード識別子との間に加入関係が存在するかどうかを判定し、前記加入者識別情報と前記仮想SIMカード識別子との間に前記加入関係が存在する場合、前記第１の端末の前記端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするステップと
をさらに有する、請求項１乃至３のいずれか１項に記載の方法。
【請求項５】
前記第１の端末が前記仮想SIMカードを格納する前に、前記方法は、
前記第１の端末によって送信される、前記仮想SIMカードに加入するための要求を受信するステップであって、前記仮想SIMカードに加入するための前記要求は、加入者識別情報および前記仮想SIMカード識別子を有する、ステップと、
前記加入者識別情報および前記仮想SIMカード識別子に従って注文を生成し、前記第１の端末に前記注文の注文番号を送信するステップであって、前記注文は前記加入者識別情報および前記仮想SIMカード識別子を有する、ステップと、
前記第１の端末によって送信される支払い要求に従って、サードパーティ支払いサーバによってフィードバックされる支払い結果通知を受信するステップであって、前記支払い要求および前記支払い結果通知の両方が前記注文番号を有する、ステップと、
前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信するステップと
をさらに有する、請求項１乃至４のいずれか１項に記載の方法。
【請求項６】
前記仮想SIMカード識別子に従って、前記第２の端末が前記仮想SIMカードを有効にしているかどうかを判定する前記ステップの後、前記方法は、
前記第２の端末が前記仮想SIMカードを有効にしている場合、前記第１の端末が前記仮想SIMカードを有効にすることを防ぐステップ
をさらに有する、請求項１乃至５のいずれか１項に記載の方法。
【請求項７】
前記仮想SIMカード識別子に従って、前記第２の端末が前記仮想SIMカードを有効にしているかどうかを判定する前記ステップの後、前記方法は、
前記第２の端末が前記仮想SIMカードを有効にしている場合、前記仮想SIMカードを前記第２の端末に対して無効にした後、前記仮想SIMカードを前記第１の端末に対して有効にするステップ
をさらに有する、請求項１乃至５のいずれか１項に記載の方法。
【請求項８】
仮想SIMカードを共有する複数の端末のための方法であって、第１の端末および第２の端末は、同じ仮想SIMカードのデータを格納し、前記方法は、
前記第１の端末によって、前記仮想SIMカードを有効にするための要求を仮想カードサーバに送信するステップであって、前記仮想SIMカードを有効にするための前記要求は、仮想SIMカード識別子を有する、ステップと、
前記仮想SIMカード識別子に従って、前記第２の端末が前記仮想SIMカードを有効にしているかどうかを判定した後、前記第１の端末によって、前記仮想カードサーバによって送信される有効化応答メッセージを受信するステップであって、前記第２の端末が前記仮想SIMカードを有効にしていない場合、前記有効化応答メッセージは有効化成功メッセージである、ステップと、
前記有効化成功メッセージを受信した後、前記第１の端末によって、前記仮想SIMカードを有効にするステップと
を有する方法。
【請求項９】
前記第１の端末によって、前記仮想SIMカードを有効にする前記ステップの後、前記方法は、
前記第１の端末によって、前記仮想SIMカードを無効にするための要求を前記仮想カードサーバに送信するステップであって、前記仮想SIMカードを無効にするための前記要求は、加入者識別情報と、前記第１の端末の端末識別子と、前記仮想SIMカード識別子とを有する、ステップと、
前記加入者識別情報と前記仮想SIMカード識別子との間に加入関係が存在するかどうかを判定し、前記第１の端末の前記端末識別子および前記仮想SIMカード識別子に従って、前記第１の端末が前記仮想SIMカードを有効にしているかどうかを判定した後、前記第１の端末によって、前記仮想カードサーバによって送信される無効化応答メッセージを受信するステップであって、前記加入者識別情報と前記仮想SIMカード識別子との間に前記加入関係が存在する場合であり前記第１の端末が前記仮想SIMカードを有効にしているとき、前記無効化応答メッセージは無効化成功メッセージである、ステップと、
前記無効化成功メッセージを受信した後、前記第１の端末によって、前記仮想SIMカードを無効にするステップと
をさらに有する、請求項８に記載の方法。
【請求項１０】
前記第１の端末が前記仮想SIMカードを格納する前に、前記方法は、
前記第１の端末によって、前記仮想SIMカードに加入するための要求を前記仮想カードサーバに送信するステップであって、前記仮想SIMカードに加入するための前記要求は加入者識別情報および前記仮想SIMカード識別子を有する、ステップと、
前記第１の端末によって、前記加入者識別情報および前記仮想SIMカード識別子に従って、前記仮想カードサーバによって送信される注文番号を受信するステップと、
前記第１の端末によって、支払い要求をサードパーティ支払いサーバに送信するステップであって、前記支払い要求は前記注文番号を有する、ステップと、
前記サードパーティ支払いサーバによって送信される支払い結果通知に従って、前記第１の端末が成功裏に支払ったかどうかを判定した後、前記第１の端末によって、前記仮想カードサーバによってフィードバックされる加入応答メッセージを受信するステップであって、前記支払い結果通知は前記注文番号を有し、前記支払い結果通知が前記第１の端末が成功裏に支払ったことを示す場合、前記加入応答メッセージは加入成功メッセージである、ステップと
をさらに有する、請求項８または９に記載の方法。
【請求項１１】
複数の端末が仮想SIMカードを共有することを実施するための仮想カードサーバであって、第１の端末および第２の端末は、同じ仮想SIMカードのデータを格納し、前記仮想カードサーバは通信ユニットおよび判定ユニットを有し、
前記通信ユニットは、第１の端末によって送信される、前記仮想SIMカードを有効にするための要求を受信するように構成され、前記仮想SIMカードを有効にするための前記要求は仮想SIMカード識別子を有し、
前記判定ユニットは、前記仮想SIMカード識別子に従って、前記第２の端末が前記仮想SIMカードを有効にしているかどうかを判定し、前記第２の端末が前記仮想SIMカードを有効にしていない場合、前記仮想SIMカードを前記第１の端末に対して有効にするように構成される、仮想カードサーバ。
【請求項１２】
前記判定ユニットは、前記第２の端末が前記仮想SIMカードを有効にしているかどうかを判定するために、前記仮想SIMカード識別子に従って有効化関係テーブルを照会するように構成され、前記有効化関係テーブルは、前記仮想SIMカード識別子と、端末識別子と、有効化表示とを有する、請求項１１に記載の仮想カードサーバ。
【請求項１３】
前記仮想SIMカードを有効にするための前記要求は加入者識別情報をさらに有し、
対応して、前記判定ユニットは、前記加入者識別情報と前記仮想SIMカード識別子との間に加入関係が存在するかどうかを判定し、前記加入者識別情報と前記仮想SIMカード識別子との間に前記加入関係が存在する場合、前記仮想SIMカード識別子に従って、前記第２の端末が前記仮想SIMカードを有効にしているかどうかを判定するステップを実行するようにさらに構成される、請求項１１または１２に記載の仮想カードサーバ。
【請求項１４】
前記通信ユニットは、第１の端末によって送信される、前記仮想SIMカードを無効にするための要求を受信するようにさらに構成され、前記仮想SIMカードを無効にするための前記要求は、加入者識別情報と、前記第１の端末の端末識別子と、前記仮想SIMカード識別子とを有し、
前記判定ユニットは、前記加入者識別情報と前記仮想SIMカード識別子との間に加入関係が存在するかどうかを判定し、前記加入者識別情報と前記仮想SIMカード識別子との間に前記加入関係が存在する場合、前記第１の端末の前記端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするようにさらに構成される
請求項１１乃至１３のいずれか１項に記載の仮想カードサーバ。
【請求項１５】
前記仮想カードサーバは注文ユニットをさらに有し、
前記通信ユニットは、第１の端末によって送信される、前記仮想SIMカードに加入するための要求を受信するようにさらに構成され、前記仮想SIMカードに加入するための前記要求は、加入者識別情報および前記仮想SIMカード識別子を有し、
前記注文ユニットは、前記加入者識別情報および前記仮想SIMカード識別子に従って注文を生成し、前記第１の端末に前記注文の注文番号を送信するように構成され、前記注文は前記加入者識別情報および前記仮想SIMカード識別子を有し、
前記通信ユニットは、前記第１の端末によって送信される支払い要求に従って、サードパーティ支払いサーバによってフィードバックされる支払い結果通知を受信するようにさらに構成され、前記支払い要求および前記支払い結果通知の両方が前記注文番号を有し、
前記判定ユニットは、前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信するようにさらに構成される
請求項１１乃至１４のいずれか１項に記載の仮想カードサーバ。
【請求項１６】
前記判定ユニットは、前記仮想SIMカード識別子に従って、前記第２の端末が前記仮想SIMカードを有効にしているかどうかを判定するとき、且つ前記第２の端末が前記仮想SIMカードを有効にしている場合、前記第１の端末が前記仮想SIMカードを有効にすることを防ぐようにさらに構成される、
請求項１１乃至１５のいずれか１項に記載の仮想カードサーバ。
【請求項１７】
前記仮想SIMカード識別子に従って、前記第２の端末が前記仮想SIMカードを有効にしているかどうかを判定するとき、且つ前記第２の端末が前記仮想SIMカードを有効にしている場合、前記判定ユニットは、前記仮想SIMカードを前記第２の端末に対して無効にした後、前記仮想SIMカードを前記第１の端末に対して有効にする
請求項１１乃至１５のいずれか１項に記載の仮想カードサーバ。
【請求項１８】
複数の端末が仮想SIMカードを共有することを実施するための端末であって、同じ仮想SIMカードのデータを格納する第１の端末および第２の端末を有し、前記第１の端末は通信ユニットおよび管理ユニットを有し、
前記通信ユニットは、前記仮想SIMカードを有効にするための要求を仮想カードサーバに送信するように構成され、前記仮想SIMカードを有効にするための前記要求は、仮想SIMカード識別子を有し、且つ
前記通信ユニットは、前記仮想SIMカード識別子に従って、前記第２の端末が前記仮想SIMカードを有効にしているかどうかを判定した後、前記仮想カードサーバによって送信される有効化応答メッセージを受信するように構成され、前記第２の端末が前記仮想SIMカードを有効にしていない場合、前記有効化応答メッセージは有効化成功メッセージであり、
前記管理ユニットは、前記通信ユニットが前記有効化成功メッセージを受信した後、前記仮想SIMカードを有効にするように構成される
端末。
【請求項１９】
前記通信ユニットは、前記仮想SIMカードを無効にするための要求を前記仮想カードサーバに送信するようにさらに構成され、前記仮想SIMカードを無効にするための前記要求は、加入者識別情報と、前記第１の端末の端末識別子と、前記仮想SIMカード識別子とを有し、且つ
前記通信ユニットは、前記加入者識別情報と前記仮想SIMカード識別子との間に加入関係が存在するかどうかを判定し、前記第１の端末の前記端末識別子および前記仮想SIMカード識別子に従って、前記第１の端末が前記仮想SIMカードを有効にしているかどうかを判定した後、前記仮想カードサーバによって送信される無効化応答メッセージを受信するようにさらに構成され、前記加入者識別情報と前記仮想SIMカード識別子との間に前記加入関係が存在する場合であり前記第１の端末が前記仮想SIMカードを有効にしているとき、前記無効化応答メッセージは無効化成功メッセージであり、
前記管理ユニットは、前記通信ユニットが前記無効化成功メッセージを受信した後、前記仮想SIMカードを無効にするようにさらに構成される
請求項１８に記載の端末。
【請求項２０】
前記通信ユニットは、前記仮想SIMカードに加入するための要求を前記仮想カードサーバに送信するようにさらに構成され、前記仮想SIMカードに加入するための前記要求は加入者識別情報および前記仮想SIMカード識別子を有し、且つ
前記通信ユニットは、前記加入者識別情報および前記仮想SIMカード識別子に従って、前記仮想カードサーバによって送信される注文番号を受信し、前記注文番号を有する支払い要求をサードパーティ支払いサーバに送信し、前記サードパーティ支払いサーバによって送信される支払い結果通知に従って、前記第１の端末が成功裏に支払ったかどうかを判定した後、前記仮想カードサーバによってフィードバックされる加入応答メッセージを受信するようにさらに構成され、前記支払い結果通知は前記注文番号を有し、前記支払い結果通知が前記第１の端末が成功裏に支払ったことを示す場合、前記加入応答メッセージは加入成功メッセージである
請求項１８または１９に記載の端末。
【請求項２１】
複数の端末が仮想SIMカードを共有するためのシステムであって、前記システムは、請求項１１乃至１７のいずれか１項に記載の前記仮想カードサーバおよび請求項１８乃至２０のいずれか１項に記載の前記端末を有する、システム。
【請求項２２】
プロセッサ１２０１と、メモリ１２０２と、通信インタフェース１２０３とを有する仮想カードサーバであって、
前記通信インタフェース１２０３は、第１の端末によって送信される、仮想SIMカードを有効にするための要求と、前記仮想SIMカードを無効にするための要求と、前記仮想SIMカードに加入するための要求とを受信するように構成され、
前記メモリ１２０２はプログラム命令を格納するように構成され、
前記プロセッサ１２０１は、前記第１の端末によって送信される、前記仮想SIMカードを有効にするための前記要求が受信された後、仮想SIMカード識別子に従って、第２の端末が前記仮想SIMカードを有効にしているかどうかを判定し、前記第２の端末が前記仮想SIMカードを有効にしていない場合、前記仮想SIMカードを前記第１の端末に対して有効にするための、前記メモリ１２０２内に格納される前記プログラム命令を呼び出すように構成される、
仮想カードサーバ。
【請求項２３】
前記プロセッサ１２０１は、前記端末によって送信される、前記仮想SIMカードを無効にするための前記要求が受信された後、加入者識別情報と前記仮想SIMカード識別子との間に加入関係が存在するかどうかを判定し、加入者識別情報と前記仮想SIMカード識別子との間に前記加入関係が存在する場合、前記第１の端末の端末識別子および前記仮想SIMカード識別子に従って、前記第１の端末が前記仮想SIMカードを有効にしているかどうかを判定し、前記第１の端末が前記仮想SIMカードを有効にしている場合、前記仮想SIMカードを前記第１の端末に対して無効にするための、前記メモリ１２０２内に格納される前記プログラム命令を呼び出すようにさらに構成される、請求項２２に記載の仮想カードサーバ。
【請求項２４】
前記プロセッサ１２０１は、前記端末によって送信される、前記仮想SIMカードに加入するための前記要求が受信された後、
加入者識別情報および前記仮想SIMカード識別子に従って注文を生成し、前記第１の端末に前記注文の注文番号を送信する動作であって、前記注文は前記加入者識別情報および前記仮想SIMカード識別子を有する、動作と、
前記第１の端末によって送信される支払い要求に従って、サードパーティ支払いサーバによってフィードバックされる支払い結果通知を受信する動作であって、前記支払い要求および前記支払い結果通知の両方が前記注文番号を有する、動作と、
前記支払い結果通知に従って、前記第１の端末が成功裏に支払ったかどうかを判定し、前記第１の端末が成功裏に支払った場合、前記支払い結果通知における前記注文番号に従って、対応する前記注文における前記加入者識別情報および前記仮想SIMカード識別子を取得し、前記加入者識別情報と前記仮想SIMカード識別子との間の加入関係を確立し、加入成功メッセージを前記第１の端末に送信する動作と
を行うための、前記メモリ１２０２内に格納される前記プログラム命令を呼び出すようにさらに構成される、請求項２２または２３に記載の仮想カードサーバ。
【国際調査報告】
2016522653.tif 000019
2016522653.tif 000020
2016522653.tif 000021
2016522653.tif 000022
2016522653.tif 000023
2016522653.tif 000024